(57)【要約】【課題】１個の画像の表示に必要な時間長を低減する。【解決手段】電気光学装置１００は、複数の走査線２２と複数の信号線２４との各交差に対応して配置され、走査線２２の選択時における信号線２４の電位に応じた階調を表示する複数の画素ＰIXを具備する。走査線駆動回路３２は、複数の単位期間Ｈ1の各々において、当該単位期間Ｈ1のうち画像信号ＶIDに応じた階調電位が各信号線２４に供給される画像書込期間ＴDにて複数の走査線２２のうち相隣合うＭ本の走査線２２を選択し、当該単位期間Ｈ1のうち黒階調に対応する階調電位が各信号線２４に供給される黒表示期間ＴBにおいて、複数の走査線２２のうち当該単位期間Ｈ1内の画像書込期間ＴDで選択されるＭ本とは別個の相隣合うＭ本の走査線２２を選択する。【選択図】図１
2014153491.tif 000002
【特許請求の範囲】
【請求項１】
複数の走査線と、
前記複数の走査線に交差する複数の信号線と、
前記複数の走査線と前記複数の信号線との各交差に対応して配置され、前記走査線の選択時における前記信号線の電位が供給される複数の画素と、
前記複数の走査線に対応する複数の転送信号を生成する転送回路と、
前記複数の走査線の選択および非選択を切替える複数の出力制御回路と、
前記複数の出力制御回路の各々を、前記転送回路から供給される転送信号がアクティブレベルに設定された場合に前記走査線を選択する有効状態と、前記走査線の選択を禁止する無効状態とに制御する制御回路とを具備し、
第１駆動モードにおいて、
前記転送回路は、Ｍ本（Ｍは２以上の自然数）の走査線で構成される第１群とＭ本の走査線で構成される第２群とを含むＮ本（Ｎは自然数）毎に前記複数の走査線を区分した複数のブロックのうち、第１ブロック内の前記第１群の各走査線に対応する転送信号と、前記第１ブロックとは相違する第２ブロック内の前記第２群の各走査線に対応する転送信号とを、第１単位期間のうち画像信号に応じた階調電位が前記各信号線に供給される画像書込期間と、当該第１単位期間のうち黒階調に対応する黒電位が前記各信号線に供給される黒表示期間とにおいてアクティブレベルに設定し、
前記制御回路は、前記第１単位期間の前記画像書込期間において、前記第１ブロックの前記第１群の各走査線に対応する前記各出力制御回路を前記有効状態に制御し、前記第１単位期間の前記黒表示期間において、前記第２ブロックの前記第２群の各走査線に対応する前記各出力制御回路を前記有効状態に制御する
電気光学装置。
【請求項２】
前記第１駆動モードとは相違する第２駆動モードにおいて、
前記転送回路は、相互に隣合う各転送信号が各第２単位期間にて共通にアクティブレベルとなるように前記複数の転送信号の各々を２個の第２単位期間にわたり順次にアクティブレベルに設定し、
前記制御回路は、前記各ブロックのＮ本の走査線のうち奇数番目および偶数番目の一方の各走査線の前記各出力制御回路と、前記各ブロックのＮ本の走査線のうち奇数番目および偶数番目の他方の各走査線の前記各出力制御回路とを、第２単位期間毎に交互に前記有効状態に制御する
請求項１の電気光学装置。
【請求項３】
相互に交差する複数の走査線および複数の信号線と、
前記複数の走査線と前記複数の信号線との各交差に対応して配置され、前記走査線の選択時における前記信号線の電位に応じた階調を表示する複数の画素と、
複数の単位期間の各々において、当該単位期間のうち画像信号に応じた階調電位が前記各信号線に供給される画像書込期間にて前記複数の走査線のうち相隣合うＭ本の走査線を選択し、当該単位期間のうち黒階調に対応する黒電位が前記各信号線に供給される黒表示期間において、前記複数の走査線のうち当該単位期間内の前記画像書込期間で選択されるＭ本とは別個の相隣合うＭ本の走査線を選択する走査線駆動回路と
を具備する電気光学装置。
【請求項４】
前記画像書込期間の時間長は、前記黒表示期間の時間長よりも長い
請求項１から請求項３の何れかの電気光学装置。
【請求項５】
請求項１から請求項４の何れかの電気光学装置を具備する電子機器。
【請求項６】
信号線と、
前記信号線に交差する複数の走査線と、
前記信号線と前記複数の走査線との各交差に対応して配置され、前記走査線の選択期間において前記信号線の電位が供給される複数の画素と、
前記複数の走査線に対応する複数の転送信号を生成する転送回路と、
前記複数の走査線の選択および非選択を切替える複数の出力制御回路と、
前記複数の出力制御回路を、前記複数の転送信号に応じて前記複数の走査線を選択する有効状態と、前記複数の転送信号に関わらず前記複数の走査線を非選択にする無効状態とに制御する制御回路とを具備し、
前記複数の走査線は，Ｎ本（Ｎは自然数）の走査線を含む複数のブロックに区分され、
前記複数のブロックの各々は、Ｍ本（Ｍは２以上の自然数）の走査線で構成される第１群とＭ本の走査線で構成される第２群とを含み、
第１駆動モードにおいて、
前記転送回路は、
前記複数のブロックのうち第１ブロックの前記第１群に対応する転送信号と、前記複数のブロックのうち前記第１ブロックとは相違する第２ブロックの前記第２群に対応する転送信号とを、第１単位期間のうち画像信号に応じた階調電位が前記信号線に供給される画像書込期間と、当該第１単位期間のうち黒階調に対応する黒電位が前記信号線に供給される黒表示期間とにおいてアクティブレベルに設定し、
前記制御回路は、
前記第１単位期間の前記画像書込期間において、
前記第１ブロックの前記第１群の各走査線に対応する前記各出力制御回路を前記有効状態に制御し、
前記第１単位期間の前記黒表示期間において、
前記第２ブロックの前記第２群の各走査線に対応する前記各出力制御回路を前記有効状態に制御する
電気光学装置。
【発明の詳細な説明】
【技術分野】
【０００１】
本発明は、複数の画素を利用して画像を表示する技術に関する。
【背景技術】
【０００２】
複数の走査線と複数の信号線との各交差に対応して配置された複数の画素を利用して画像を表示する各種の技術が従来から提案されている。例えば特許文献１には、観察者が立体感を知覚可能な立体視画像を表示する技術が開示されている。特許文献１の技術では、１個のフィールド期間が３個のサブフィールド期間に区分される（例えば特許文献１の図１０参照）。第１番目のサブフィールド期間では、複数の走査線が２本ずつ順次に選択され、黒階調に対応する階調電位が各信号線から各画素に供給される。第２番目のサブフィールド期間では、複数の走査線が２本ずつ順次に選択され、表示画像に応じた階調電位が各信号線から各画素に供給され、第３番目のサブフィールド期間では、複数の走査線が１本おきに順次に選択され、表示画像に応じた階調電位が各信号線から各画素に供給される。以上のように黒階調に応じた階調電位を１個のフィールド期間の最初に全画素に供給することで、右眼用画像と左眼用画像との混在（クロストーク）が防止される。
【先行技術文献】
【特許文献】
【０００３】
【特許文献１】特開２０１１−２７８１０号公報
【発明の概要】
【発明が解決しようとする課題】
【０００４】
しかし、特許文献１の技術では、黒階調に応じた階調電位の供給（黒挿入）が第１番目のサブフィールド期間にて全画素について完了してから表示画像に応じた階調電位の供給（第２番目のサブフィールド期間）が開始する。したがって、１個のフィールド期間の時間長を短縮する（すなわちフレームレートを上昇させる）ことが困難であるという問題がある。なお、以上の説明では、右眼用画像と左眼用画像との混在の防止のために黒階調を表示する場合に着目したが、例えば液晶装置に代表されるホールド型の表示装置で課題となる動画ボケ（残像感）の抑制のために全画素に強制的に黒階調を表示させる構成でも同様の問題が発生し得る。以上の事情を考慮して、本発明は、１個の画像の表示に必要な時間長を低減することを目的とする。
【課題を解決するための手段】
【０００５】
以上の課題を解決するために、本発明の電気光学装置は、複数の走査線と、複数の走査線に交差する複数の信号線と、複数の走査線と複数の信号線との各交差に対応して配置され、走査線の選択時における信号線の電位が供給される複数の画素と、複数の走査線に対応する複数の転送信号を生成する転送回路と、複数の走査線の選択および非選択を切替える複数の出力制御回路と、複数の出力制御回路の各々を、転送回路から供給される転送信号がアクティブレベルに設定された場合に走査線を選択する有効状態と、走査線の選択を禁止する無効状態とに制御する制御回路とを具備し、第１駆動モードにおいて、転送回路は、Ｍ本（Ｍは２以上の自然数）の走査線で構成される第１群とＭ本の走査線で構成される第２群とを含むＮ本（Ｎは自然数）毎に複数の走査線を区分した複数のブロックのうち、第１ブロック内の第１群の各走査線に対応する転送信号と、第１ブロックとは相違する第２ブロック内の第２群の各走査線に対応する転送信号とを、第１単位期間のうち画像信号に応じた階調電位が各信号線に供給される画像書込期間と、当該第１単位期間のうち黒階調に対応する黒電位が各信号線に供給される黒表示期間とにおいてアクティブレベルに設定し、制御回路は、第１単位期間の画像書込期間において、第１ブロックの第１群の各走査線に対応する各出力制御回路を有効状態に制御し、第１単位期間の黒表示期間において、第２ブロックの第２群の各走査線に対応する各出力制御回路を有効状態に制御する。以上の構成では、各単位期間の画像書込期間において、相隣合うＭ本の走査線が選択されて各画素に階調電位が供給され、当該単位期間の黒表示期間において、当該単位期間内の画像書込期間で選択されるＭ本とは別個の相隣合うＭ本の走査線が選択されて各画素に黒電位が供給される。すなわち、Ｍ本単位の走査線の順次選択および選択行の各画素に対する階調電位の供給（画像表示）と、Ｍ本単位の走査線の順次選択および選択行の各画素に対する黒電位の供給（黒挿入）とが、走査線の相異なるＭ本を対象として並列に実行される。したがって、１個の画像の表示に必要な時間長を低減することが可能である。
【０００６】
本発明の好適な態様では、第１駆動モードとは相違する第２駆動モードにおいて、転送回路は、相互に隣合う各転送信号が各第２単位期間にて共通にアクティブレベルとなるように複数の転送信号の各々を２個の第２単位期間にわたり順次にアクティブレベルに設定し、制御回路は、各ブロックのＮ本の走査線のうち奇数番目および偶数番目の一方の各走査線の各出力制御回路と、各ブロックのＮ本の走査線のうち奇数番目および偶数番目の他方の各走査線の各出力制御回路とを、第２単位期間毎に交互に有効状態に制御する。以上の形態では、電気光学装置が第１駆動モードおよび第２駆動モードで動作するから、例えば表示画像に応じた適切な駆動モードで画像を表示できるという利点がある。
【０００７】
本発明の他の態様に係る電気光学装置は、相互に交差する複数の走査線および複数の信号線と、複数の走査線と複数の信号線との各交差に対応して配置され、走査線の選択時における信号線の電位に応じた階調を表示する複数の画素と、複数の単位期間の各々において、当該単位期間のうち画像信号に応じた階調電位が各信号線に供給される画像書込期間にて複数の走査線のうち相隣合うＭ本の走査線を選択し、当該単位期間のうち黒階調に対応する黒電位が各信号線に供給される黒表示期間において、複数の走査線のうち当該単位期間内の画像書込期間で選択されるＭ本とは別個の相隣合うＭ本の走査線を選択する走査線駆動回路とを具備する。以上の構成では、相異なるＭ本の走査線が各単位期間内の画像書込期間と黒表示期間とで並列に選択されるから、１個の画像の表示に必要な時間長を低減することが可能である。
【０００８】
以上の各態様に係る電気光学装置の好適例において、画像書込期間の時間長は、黒表示期間の時間長よりも長い。以上の態様によれば、画像書込期間を黒表示期間以下の時間長に設定した構成と比較して、各画素に対して階調電位を確実に供給できるという利点がある。
【０００９】
以上の各態様に係る電気光学装置は表示体として各種の電子機器に採用される。例えば、照明光を放射する照明装置と、照明装置からの照明光を画素毎に変調する以上の各態様の電気光学装置と、電気光学装置による変調後の照明光を投射面に投射する投射光学系とを具備する投射型表示装置が、本発明の電子機器として例示され得る。
【図面の簡単な説明】
【００１０】
【図１】本発明の第１実施形態に係る立体視表示装置のブロック図である。
【図２】画素回路の回路図である。
【図３】走査線駆動回路の回路図である。
【図４】転送回路の各単位回路の回路図である。
【図５】第２駆動モードにおける走査線駆動回路の動作の説明図である。
【図６】第１駆動モードにおける走査線駆動回路の動作の説明図である。
【図７】第２実施形態における走査線駆動回路の回路図である。
【図８】第２実施形態の第２駆動モードにおける走査線駆動回路の動作の説明図である。
【図９】第２実施形態の第１駆動モードにおける走査線駆動回路の動作の説明図である。
【図１０】電子機器（投射型表示装置）の斜視図である。
【図１１】電子機器（パーソナルコンピュータ）の斜視図である。
【図１２】電子機器（携帯電話機）の斜視図である。
【発明を実施するための形態】
【００１１】
＜第１実施形態＞
図１は、本発明の第１実施形態に係る電気光学装置１００のブロック図である。電気光学装置１００は、外部装置（図示略）から指示された画像を表示する表示装置であり、電気光学パネル１２と制御回路１４とを具備する。電気光学パネル１２は、複数の画素ＰIXが配列された画素部２０と、各画素ＰIXを駆動する駆動回路３０とを含んで構成される。画素部２０には、相互に交差するＹ本の走査線２２とＸ本の信号線２４とが形成される（ＸおよびＹは自然数）。画素部２０内の複数の画素ＰIXは、Ｙ本の走査線２２とＸ本の信号線２４との各交差に対応して縦Ｙ行×横Ｘ列の行列状に配列する。
【００１２】
図２は、各画素ＰIXの回路図である。図２に示すように、各画素ＰIXは、液晶素子ＣLと選択スイッチＳWとを含む。液晶素子ＣLは、相互に対向する画素電極２６２および共通電極２６４と両電極間の液晶２６６とで構成された容量性の電気光学素子である。画素電極２６２と共通電極２６４との間の印加電圧に応じて液晶２６６の透過率（表示階調）が変化する。選択スイッチＳWは、走査線２２にゲートが接続されたＮチャネル型の薄膜トランジスターで構成され、液晶素子ＣLと信号線２４との間に介在して両者間の電気的な接続（導通または絶縁）を制御する。なお、液晶素子ＣLと並列に補助容量を配置した構成も採用され得る。
【００１３】
図１の制御回路１４は、外部装置から指示された画像が画素部２０に表示されるように駆動回路３０を制御する。具体的には、制御回路１４は、表示画像を指示する画像信号ＶIDや駆動回路３０の動作を規定する各種の制御信号（ＤY，ＣLK1，ＣLK2，ＥNB[1]〜ＥNB[4]）を生成して駆動回路３０に供給する。また、制御回路１４は、電気光学装置１００の動作モードを第１駆動モードまたは第２駆動モードに設定する。第１駆動モードは、観察者が立体感を知覚可能な立体視画像（相互に視差が付与された右眼用画像および左眼用画像）を画素部２０に表示する駆動モードであり、第２駆動モードは平面画像を画素部２０に表示する動作モードである。制御回路１４は、例えば外部装置からの指示に応じて動作モードを選択する。
【００１４】
駆動回路３０は、制御回路１４による制御のもとで画素部２０内の各画素ＰIXを駆動する回路であり、走査線駆動回路３２と信号線駆動回路３４とを具備する。なお、駆動回路３０を電気光学パネル１２の外部に設置することも可能である。走査線駆動回路３２は、各走査線２２に対する走査信号Ｇ[1]〜Ｇ[Y]の供給で各走査線２２を順次に選択する。走査信号Ｇ[y]（ｙ＝１〜Ｙ）が走査線２２の選択を意味するアクティブレベルに設定されて第ｙ行の走査線２２が選択されることで、第ｙ行のＸ個の画素ＰIXの各々における選択スイッチＳWが同時にオン状態に遷移する。
【００１５】
信号線駆動回路３４は、走査線駆動回路３２による各走査線２２の選択に同期してＸ本の信号線２４の各々に階調信号Ｓ[1]〜Ｓ[X]を供給する。第ｘ列（ｘ＝１〜Ｘ）の信号線２４に供給される階調信号Ｓ[x]は、例えば、制御回路１４から供給される画像信号ＶIDに応じた階調電位に設定される。各画素ＰIX（液晶素子ＣL）は、走査線２２の選択時（すなわち、選択スイッチＳWがオン状態に制御されたとき）に信号線２４に供給されている階調信号Ｓ[x]（ｘ＝１〜Ｘ）の電位に応じた階調を表示する。
【００１６】
図３は、走査線駆動回路３２の回路図である。図３に示すように、第１実施形態の走査線駆動回路３２は、転送回路３２２と選択回路３２４とを具備する。転送回路３２２には開始パルスＤYと２系統のクロック信号ＣLK（ＣLK1，ＣLK2）とが制御回路１４から供給され、選択回路３２４には４系統の許可信号（イネーブル信号）ＥNB[1]〜ＥNB[4]が制御回路１４から供給される。
【００１７】
図３の転送回路３２２は、制御回路１４から供給される開始パルスＤYをクロック信号ＣLKに同期して順次にシフトすることでＹ系統の転送信号Ａ[1]〜Ａ[Y]を生成するシフトレジスタであり、相異なる走査線２２に対応するＹ個の単位回路Ｕ[1]〜Ｕ[Y]で構成される。図４に示すように、各単位回路Ｕ[y]は、開始パルスＤYの経路上に配置されたスイッチ５２２およびスイッチ５２４と、両者間の接続点に対して直列に接続された論理否定回路５３２および論理否定回路５３４とを含んで構成される。奇数番目の各単位回路Ｕ[y]のスイッチ５２２と偶数番目の各単位回路Ｕ[y]のスイッチ５２４との各々のゲートにはクロック信号ＣLK1が供給され、奇数番目の各単位回路Ｕ[y]のスイッチ５２４と偶数番目の各単位回路Ｕ[y]のスイッチ５２２との各々のゲートにはクロック信号ＣLK2が供給される。クロック信号ＣLK1とクロック信号ＣLK2とは論理レベルを反転させた関係にある。論理否定回路５３４の出力が転送信号Ａ[y]として選択回路３２４に供給される。
【００１８】
図３の選択回路３２４は、転送回路３２２が生成するＹ系統の転送信号Ａ[1]〜Ａ[Y]に応じてＹ本の走査線２２の各々の選択および非選択を順次に切替える回路（すなわち走査信号Ｇ[y]のレベルを制御する回路）であり、相異なる走査線２２に対応するＹ個の出力制御回路Ｑ[1]〜Ｑ[Y]を具備する。第ｙ段目の出力制御回路Ｑ[y]は、走査信号Ｇ[y]のレベル（電位）を制御することで第ｙ行の走査線２２の選択および非選択を切替える。図３に示すように、各出力制御回路Ｑ[y]は、否定論理積回路（ＮＡＮＤゲート）５６２と論理否定回路（ＮＯＴゲート）５６４とを具備する。否定論理積回路５６２は、第１端に対する入力と第２端に対する入力との否定論理積を出力する。論理否定回路５６４は、否定論理積回路５６２の出力が非アクティブレベルである場合に走査信号Ｇ[y]をアクティブレベル（走査線２２の選択を意味する電位）に設定し、否定論理積回路５６２の出力がアクティブレベルである場合に走査信号Ｇ[y]を非アクティブレベル（走査線２２の非選択を意味する電位）に設定する。
【００１９】
図３に示すように、第１実施形態では、相互に隣合う４本（Ｎ本）を単位としてＹ本の走査線２２がＫ個（Ｋ＝Ｙ/４）のブロックＢ[1]〜Ｂ[K]に区分される。選択回路３２４の第ｙ段目の出力制御回路Ｑ[y]の第１端には、転送回路３２２（第ｙ段目の単位回路Ｕ[y]）が生成した転送信号Ａ[y]が供給される。他方、各ブロックＢ[k]に対応する４個の出力制御回路Ｑ[y]の各々には許可信号ＥNB[1]〜ＥNB[4]の何れかが供給される。具体的には、Ｋ個のブロックＢ[1]〜Ｂ[K]の各々における４個の出力制御回路Ｑ[y]のうち第ｎ段目（ｎ＝１〜４）の出力制御回路Ｑ[y]の第２端には許可信号ＥNB[n]が共通に供給される。例えば、各ブロックＢ[k]の第１段目の出力制御回路Ｑ[y]（Ｑ[1]，Ｑ[5]，Ｑ[9]，……，Ｑ[201]，……，Ｑ[Y-3]）の第２端には許可信号ＥNB[1]が共通に供給される。同様に、各ブロックＢ[k]の第２段目の出力制御回路Ｑ[y]（Ｑ[2]，Ｑ[6]，Ｑ[10]，……，Ｑ[202]，……，Ｑ[Y-2]）の第２端には許可信号ＥNB[2]が供給され、各ブロックＢ[k]の第３段目の出力制御回路Ｑ[y]（Ｑ[3]，Ｑ[7]，Ｑ[11]，……，Ｑ[203]，……，Ｑ[Y-1]）の第２端には許可信号ＥNB[3]が供給され、各ブロックＢ[k]の第４段目の出力制御回路Ｑ[y]（Ｑ[4]，Ｑ[8]，Ｑ[12]，……，Ｑ[204]，……，Ｑ[Y]）の第２端には許可信号ＥNB[4]が供給される。
【００２０】
以上の構成において、出力制御回路Ｑ[y]が生成する走査信号Ｇ[y]は、転送信号Ａ[y]および許可信号ＥNB[n]の双方がアクティブレベルに設定された場合にアクティブレベル（選択電位）に設定され、転送信号Ａ[y]および許可信号ＥNB[n]の片方または双方が非アクティブレベルに設定された場合には非アクティブレベル（非選択電位）に設定される。すなわち、出力制御回路Ｑ[y]は、許可信号ＥNB[n]がアクティブレベルに設定された状態では、転送信号Ａ[y]がアクティブレベルに設定された場合に第ｙ行の走査線２２を選択し、許可信号ＥNB[n]が非アクティブレベルに設定された状態では、転送信号Ａ[y]のレベルに関わらず第ｙ行の走査線２２を非選択に制御する。以上の説明から理解される通り、出力制御回路Ｑ[y]は、転送信号Ａ[y]がアクティブレベルに設定された場合に第ｙ行の走査線２２を選択する有効状態（イネーブル状態）と、転送信号Ａ[y]のレベルに関わらず第ｙ行の走査線２２の選択が禁止された無効状態（ディセーブル状態）との何れかの状態に許可信号ＥNB[n]に応じて制御される。すなわち、許可信号ＥNB[n]は、転送信号Ａ[y]に応じた第ｙ行の走査線２２の選択の許否（許可または禁止）を規定する信号である。
【００２１】
第１駆動モードおよび第２駆動モードの各々における電気光学装置１００の動作を以下に説明する。概略的には、第１駆動モードでは、相互に隣合う２本（Ｍ本）を単位としてＹ本の走査線２２が単位期間Ｈ1毎に順次に選択されたうえで選択行（２行分）の各画素ＰIXに階調信号Ｓ[x]が供給され、第２駆動モードでは、Ｙ本の走査線２２が単位期間Ｈ2毎に順次に選択されたうえで選択行（１行分）の各画素ＰIXに階調信号Ｓ[x]が供給される。
【００２２】
＜第２駆動モード＞
図５は、第２駆動モードにおける電気光学装置１００の動作の説明図である。第２駆動モードでは、各クロック信号ＣLK（ＣLK1，ＣLK2）のアクティブレベルの時間長と非アクティブレベルの時間長とが共通する（すなわちデューティ比５０％）。各クロック信号ＣLKがアクティブレベルに設定される期間と非アクティブレベルに設定される期間との各々（すなわちクロック信号ＣLKの半周期）が単位期間Ｈ2に相当する。第２駆動モードでは、単位期間Ｈ2のＹ個分が１個の垂直走査期間（フレーム）に相当する。
【００２３】
垂直走査期間毎に１個の開始パルスＤYが制御回路１４から走査線駆動回路３２の転送回路３２２に供給される。転送回路３２２は、各クロック信号ＣLK（ＣLK1，ＣLK2）に同期して開始パルスＤYを順次にシフトすることで転送信号Ａ[1]〜Ａ[Y]を生成する。したがって、図５から理解される通り、Ｙ系統の転送信号Ａ[1]〜Ａ[Y]の各々は、単位期間Ｈ2毎に順番にアクティブレベルに設定され、相前後する２個の単位期間Ｈ2にわたりアクティブレベルを維持する。すなわち、相互に隣合う２系統の転送信号（Ａ[y]，Ａ[y+1]）は１個の単位期間Ｈ2にて共通にアクティブレベルに設定される。
【００２４】
制御回路１４は、ブロックＢ[k]内の奇数番目の各走査線２２に対応する許可信号ＥNB（ＥNB[1]，ＥNB[3]）と、ブロックＢ[k]内の偶数番目の各走査線２２に対応する許可信号ＥNB（ＥNB[2]，ＥNB[4]）とを、単位期間Ｈ2毎に交互にアクティブレベルに設定する。具体的には、図３に示すように、垂直走査期間内の奇数番目の各単位期間Ｈ2では、許可信号ＥNB[1]および許可信号ＥNB[3]がアクティブレベルに設定されるとともに許可信号ＥNB[2]および許可信号ＥNB[4]が非アクティブレベルに設定され、垂直走査期間内の偶数番目の各単位期間Ｈ2では、許可信号ＥNB[2]および許可信号ＥNB[4]がアクティブレベルに設定されるとともに許可信号ＥNB[1]および許可信号ＥNB[3]が非アクティブレベルに設定される。
【００２５】
したがって、垂直走査期間内の奇数番目の各単位期間Ｈ2では奇数番目の出力制御回路Ｑ[y]が有効状態（転送信号Ａ[y]がアクティブレベルに設定された場合に走査線２２を選択するイネーブル状態）に制御され、偶数番目の各単位期間Ｈ2では偶数番目の出力制御回路Ｑ[y]が有効状態に制御される。すなわち、奇数番目の各出力制御回路Ｑ[y]と偶数番目の各出力制御回路Ｑ[y]とが単位期間Ｈ2毎に交互に有効状態に制御される。したがって、図３に示す通り、Ｙ系統の走査信号Ｇ[1]〜Ｇ[Y]は単位期間Ｈ2毎に順次にアクティブレベルに設定される。すなわち、走査線駆動回路３２は、Ｙ本の走査線２２の各々を単位期間Ｈ2毎に順次に選択する。
【００２６】
他方、信号線駆動回路３４は、第ｘ列の信号線２４に供給される階調信号Ｓ[x]を、第ｙ行の走査線２２が選択される単位期間Ｈ2において、画像信号ＶIDが第ｙ行第ｘ列の画素ＰIXに指定する階調に応じた階調電位に設定する。したがって、画像信号ＶIDで指定される画像が画素部２０に表示される。以上が第２駆動モードにおける電気光学装置１００の動作である。
【００２７】
＜第１駆動モード＞
図６は、第１駆動モードにおける電気光学装置１００の動作の説明図である。図６に示すように、第１駆動モードでは、クロック信号ＣLK1の非アクティブレベル（クロック信号ＣLK2のアクティブレベル）の時間長がクロック信号ＣLK1のアクティブレベル（クロック信号ＣLK2の非アクティブレベル）の時間長を上回るように各クロック信号ＣLK（ＣLK1，ＣLK2）が生成される。すなわち、クロック信号ＣLK1のデューティ比は５０％を下回る。各クロック信号ＣLKの１周期分が単位期間Ｈ1に相当する。クロック信号ＣLK1の１周期の時間長は第１駆動モードと第２駆動モードとで共通する。なお、第１駆動モードの説明では、任意の１個のブロックＢ[k]の複数（４本）の走査線２２を、相隣合う複数本を単位として第１群と第２群とに選別する。第１実施形態では、ブロックＢ[k]の第１番目および第２番目の２本の走査線２２の集合を第１群と表記し、第３番目および第４番目の２本の走査線２２の集合を第２群と表記する。
【００２８】
図６に示すように、各単位期間Ｈ1は、プリチャージ期間ＴPと画像書込期間ＴDと黒表示期間ＴBとを含んで構成される。プリチャージ期間ＴPは、クロック信号ＣLK1がアクティブレベル（ハイレベル）に設定される期間として規定され、画像書込期間ＴDと黒表示期間ＴBとは、クロック信号ＣLK1が非アクティブレベル（ローレベル）に設定される期間として規定される。画像書込期間ＴDの時間長は黒表示期間ＴBの時間長を上回る。また、第１駆動モードでは、単位期間Ｈ1の(Ｙ/２)個分が１個の垂直走査期間に相当する。
【００２９】
第１駆動モードでは、垂直走査期間毎に、時間軸上の相異なる時点で２個の開始パルスＤY（ＤY1，ＤY2）が制御回路１４から走査線駆動回路３２の転送回路３２２に供給される。転送回路３２２は、各クロック信号ＣLK（ＣLK1，ＣLK2）に同期して各開始パルスＤYを順次にシフトすることでＹ系統の転送信号Ａ[1]〜Ａ[Y]を生成する。したがって、図６に示すように、転送回路３２２は、Ｙ系統の転送信号Ａ[1]〜Ａ[Y]を開始パルスＤY1のシフトで順番にアクティブレベルに設定する動作と、Ｙ系統の転送信号Ａ[1]〜Ａ[Y]を開始パルスＤY2のシフトで順番にアクティブレベルに設定する動作とを並列に実行する。すなわち、Ｙ系統の転送信号Ａ[1]〜Ａ[Y]から順次に選択される２系統の転送信号Ａ[y]が同時にアクティブレベルに設定される。
【００３０】
具体的には、垂直走査期間内の奇数番目の各単位期間Ｈ1では、開始パルスＤY1に対応する１個のブロックＢ[k1]（ｋ1＝１〜Ｋ）のうち第１群の２本の走査線２２に対応する各転送信号Ａ[y]と、開始パルスＤY2に対応する１個のブロックＢ[k2]（ｋ2＝１〜Ｋ，ｋ2≠ｋ1）のうち第２群の２本の走査線２２に対応する各転送信号Ａ[y]とが、当該単位期間Ｈ1内の画像書込期間ＴDおよび黒表示期間ＴBにて並列にアクティブレベルに設定される。例えば、図６に例示された垂直走査期間内の第１番目の単位期間Ｈ1では、ブロックＢ[1]の第１群に対応する転送信号Ａ[1]および転送信号Ａ[2]と、ブロックＢ[21]の第２群に対応する転送信号Ａ[203]および転送信号Ａ[204]とが、画像書込期間ＴDおよび黒表示期間ＴBにて並列にアクティブレベルに設定される。
【００３１】
他方、垂直走査期間内の偶数番目の各単位期間Ｈ1では、開始パルスＤY1に対応する１個のブロックＢ[k1]のうち第２群の２本の走査線２２に対応する各転送信号Ａ[y]と、開始パルスＤY2に対応する１個のブロックＢ[k2]のうち第１群の２本の走査線２２に対応する各転送信号Ａ[y]とが、当該単位期間Ｈ1内の画像書込期間ＴDおよび黒表示期間ＴBにて並列にアクティブレベルに設定される。例えば、図６に例示された垂直走査期間内の第２番目の単位期間Ｈ1では、ブロックＢ[1]の第２群に対応する転送信号Ａ[3]および転送信号Ａ[4]と、ブロックＢ[22]の第１群に対応する転送信号Ａ[205]および転送信号Ａ[206]とが、画像書込期間ＴDおよび黒表示期間ＴBにて並列にアクティブレベルに設定される。
【００３２】
以上の説明から理解される通り、第１駆動モードにおいて、転送回路３２２は、１個のブロックＢ[k1]のうち第１群および第２群の一方の走査線２２に対応する各転送信号Ａ[y]と、ブロックＢ[k1]とは相違するブロックＢ[k2]のうち第１群および第２群の他方の走査線２２に対応する各転送信号Ａ[y]とを、単位期間Ｈ1内の画像書込期間ＴDおよび黒表示期間ＴBにて並列にアクティブレベルに設定する。
【００３３】
また、制御回路１４は、各単位期間Ｈ1の画像書込期間ＴDにおいて、各ブロックＢ[k]の第１群および第２群の一方の２本の走査線２２に対応する各許可信号ＥNB[n]をアクティブレベルに設定し、各単位期間Ｈ1の黒表示期間ＴBにおいて、各ブロックＢ[k]の第１群および第２群の他方の２本の走査線２２に対応する各許可信号ＥNB[n]をアクティブレベルに設定する。具体的には以下の通りである。
【００３４】
制御回路１４は、垂直走査期間内の奇数番目の単位期間Ｈ1の画像書込期間ＴDにおいて、第１群に対応する許可信号ＥNB[1]および許可信号ＥNB[2]をアクティブレベルに設定するとともに許可信号ＥNB[3]および許可信号ＥNB[4]を非アクティブレベルに設定し、当該単位期間Ｈ1の黒表示期間ＴBにおいて、第２群に対応する許可信号ＥNB[3]および許可信号ＥNB[4]をアクティブレベルに設定するとともに許可信号ＥNB[1]および許可信号ＥNB[2]を非アクティブレベルに設定する。すなわち、奇数番目の単位期間Ｈ1の画像書込期間ＴDでは、Ｋ個のブロックＢ[1]〜Ｂ[K]の各々における第１群の各出力制御回路Ｑ[y]（Ｑ[1]，Ｑ[2]，Ｑ[5]，Ｑ[6]，……，Ｑ[201]，Ｑ[202]，……，Ｑ[Y-3]，Ｑ[Y-2]）が有効状態に制御され、当該単位期間Ｈ1の黒表示期間ＴBでは、Ｋ個のブロックＢ[1]〜Ｂ[K]の各々における第２群の各出力制御回路Ｑ[y]（Ｑ[3]，Ｑ[4]，Ｑ[7]，Ｑ[8]，……，Ｑ[203]，Ｑ[204]，……，Ｑ[Y-1]，Ｑ[Y]）が有効状態に制御される。
【００３５】
したがって、奇数番目の単位期間Ｈ1の画像書込期間ＴDでは、開始パルスＤY1に対応する１個のブロックＢ[k1]のうちアクティブレベルの転送信号Ａ[y]が供給されている第１群の各出力制御回路Ｑ[y]が２本の走査線２２を同時に選択する。例えば、図６の第１番目の単位期間Ｈ1の画像書込期間ＴDでは、選択回路３２４のＹ個の出力制御回路Ｑ[1]〜Ｑ[Y]のうち、許可信号ＥNB[n]（ＥNB[1]，ＥNB[2]）および転送信号Ａ[y]（Ａ[1]，Ａ[2]）の双方がアクティブレベルに設定された２個の出力制御回路Ｑ[1]および出力制御回路Ｑ[2]が第１行および第２行の２本の走査線２２を同時に選択する。他方、奇数番目の単位期間Ｈ1の黒表示期間ＴBでは、開始パルスＤY2に対応する１個のブロックＢ[k2]のうちアクティブレベルの転送信号Ａ[y]が供給されている第２群の各出力制御回路Ｑ[y]が２本の走査線２２を同時に選択する。例えば、図６の第１番目の単位期間Ｈ1の黒表示期間ＴBでは、選択回路３２４のＹ個の出力制御回路Ｑ[1]〜Ｑ[Y]のうち、許可信号ＥNB[n]（ＥNB[3]，ＥNB[4]）および転送信号Ａ[y]（Ａ[203]，Ａ[204]）の双方がアクティブレベルに設定された２個の出力制御回路Ｑ[203]および出力制御回路Ｑ[204]が第203行および第204行の２本の走査線２２を同時に選択する。
【００３６】
他方、制御回路１４は、垂直走査期間内の偶数番目の単位期間Ｈ1の画像書込期間ＴDにおいて、第２群の許可信号ＥNB[3]および許可信号ＥNB[4]をアクティブレベルに設定し、当該単位期間Ｈ1の黒表示期間ＴBにおいて、第１群の許可信号ＥNB[1]および許可信号ＥNB[1]をアクティブレベルに設定する。したがって、偶数番目の単位期間Ｈ1の画像書込期間ＴDでは、開始パルスＤY1に対応する１個のブロックＢ[k1]のうちアクティブレベルの転送信号Ａ[y]が供給されている第２群の各出力制御回路Ｑ[y]が２本の走査線２２を同時に選択する。例えば、図６の第２番目の単位期間Ｈ1の画像書込期間ＴDでは、選択回路３２４のＹ個の出力制御回路Ｑ[1]〜Ｑ[Y]のうち、許可信号ＥNB[n]（ＥNB[3]，ＥNB[4]）および転送信号Ａ[y]（Ａ[3]，Ａ[4]）の双方がアクティブレベルに設定された２個の出力制御回路Ｑ[3]および出力制御回路Ｑ[4]が第３行および第４行の２本の走査線２２を同時に選択する。他方、偶数番目の単位期間Ｈ1の黒表示期間ＴBでは、開始パルスＤY2に対応する１個のブロックＢ[k2]のうちアクティブレベルの転送信号Ａ[y]が供給されている第１群の各出力制御回路Ｑ[y]が２本の走査線２２を同時に選択する。例えば、図６の第２番目の単位期間Ｈ1の黒表示期間ＴBでは、選択回路３２４のＹ個の出力制御回路Ｑ[1]〜Ｑ[Y]のうち、許可信号ＥNB[n]（ＥNB[1]，ＥNB[2]）および転送信号Ａ[y]（Ａ[205]，Ａ[206]）の双方がアクティブレベルに設定された２個の出力制御回路Ｑ[205]および出力制御回路Ｑ[206]が第205行および第206行の２本の走査線２２を同時に選択する。
【００３７】
以上に説明した動作が開始パルスＤY1および開始パルスＤY2のシフトに同期して順次に実行される結果、図６からも理解される通り、各単位期間Ｈ1の画像書込期間ＴDでは、相隣合う２本（Ｍ本）の走査線２２が単位期間Ｈ1毎に順次に選択され、各単位期間Ｈ1の黒表示期間ＴBでは、当該単位期間Ｈ1内の画像書込期間ＴDで選択される２本とは別個の相隣合う２本の走査線２２が単位期間Ｈ1毎に順次に選択される。すなわち、画像書込期間ＴD内における２本毎の走査線２２の順次選択と黒表示期間ＴBにおける２本毎の走査線２２の順次選択とが垂直走査期間内にて並列に実行される。なお、各単位期間Ｈ1のプリチャージ期間ＴPでは４系統の許可信号ＥNB[1]〜ＥNB[4]の全部が非アクティブレベルに設定される。したがって、Ｙ本の走査線２２の全部が非選択となる。以上が第１駆動モードにおける走査線駆動回路３２の動作である。
【００３８】
第１駆動モードにおける信号線駆動回路３４の動作を以下に説明する。各単位期間Ｈ1のプリチャージ期間ＴPにおいて、信号線駆動回路３４は、各信号線２４に供給される階調信号Ｓ[1]〜Ｓ[X]の全部を所定のプリチャージ電位に設定する。したがって、Ｘ本の信号線２４の電位がプリチャージ電位に初期化（プリチャージ）される。各単位期間Ｈ1のプリチャージ期間ＴPではＹ本の走査線２２の全部が非選択とされる（したがってプリチャージ電位は液晶素子ＣLまでは到達しない）から、各画素ＰIXの階調は変化しない。なお、各単位期間Ｈ1のプリチャージ期間ＴPを省略することも可能である。また、第２駆動モードでも、各走査線２２の選択間に各信号線２４に対してプリチャージ電位を供給する構成が採用される。
【００３９】
各単位期間Ｈ1の画像書込期間ＴDにおいて、信号線駆動回路３４は、各信号線２４に供給する階調信号Ｓ[x]を、走査線駆動回路３２が同時に選択する２本の走査線２２のうち一方の走査線２２と第ｘ列の信号線２４との交差の画素ＰIXについて画像信号ＶIDが指定する階調に応じた階調電位に設定する。したがって、画素部２０内でＹ方向に隣合う２個の画素ＰIXの表示階調は共通する。すなわち、Ｙ本の走査線２２が１本ずつ選択されて各画素ＰIXに階調電位が供給される第２駆動モードと比較してＹ方向の解像度を半分に低減した画像が第１駆動モードでは画素部２０に表示される。第１実施形態では、相互に視差が付与された右眼用画像と左眼用画像とが垂直走査期間毎に交互に画素部２０に表示される。したがって、表示画像の観察者は立体感を知覚することが可能である。第１実施形態では、Ｙ本の走査線２２が２本毎に順次に選択されるから、第１駆動モードにおける１個の垂直走査期間内の単位期間Ｈ1の個数は、第２駆動モードにおける１個の垂直走査期間内の単位期間Ｈ2の個数の半数である。すなわち、第１駆動モードでは右眼用画像および左眼用画像の表示のフレームレートが第２駆動モードと比較して約２倍に設定される。したがって、右眼用画像および左眼用画像の一方に着目すると、第１駆動モードと同等のフレームレートを確保することが可能である。
【００４０】
各単位期間Ｈ1の黒表示期間ＴBにおいて、信号線駆動回路３４は、各信号線２４に供給される階調信号Ｓ[1]〜Ｓ[X]の全部を黒電位に設定する。黒電位は、各画素ＰIXに黒階調を表示させるための階調電位である。黒階調は、典型的には最低階調であるが、最低階調以外の低階調（観察者が黒色と知覚し得る程度の低階調）を黒階調として選定することも可能である。黒表示期間ＴBにおける黒電位の供給により、各画素ＰIXの表示階調は、過去の画像書込期間ＴDで液晶素子ＣLに保持された階調電位に応じた階調から黒階調に強制的に変更される。すなわち、右眼用画像と左眼用画像との表示間に黒階調の画像が挿入される。したがって、右眼用画像と左眼用画像との混在（クロストーク）が防止されるという利点がある。具体的には、右眼用画像と左眼用画像とが確実に右眼および左眼に分離されるから、観察者に明確な立体感を知覚させることが可能である。以上が第１駆動モードにおける電気光学装置１００の動作である。
【００４１】
以上に説明した通り、第１実施形態では、走査線２２の２本毎の選択および選択行の各画素ＰIXに対する階調電位の供給（画像表示）と、走査線２２の２本毎の選択および選択行の各画素ＰIXに対する黒電位の供給（黒挿入）とが、相異なる走査線２２を対象として並列に実行される。すなわち、垂直走査期間内でＹ行分の画素ＰIXに対する階調電位の供給が完了する以前に各画素ＰIXに対する黒電位の供給が開始される。したがって、黒電位の供給が全部の画素ＰIXについて完了してから各画素ＰIXに対する階調電位の供給が開始される特許文献１の技術と比較して、１個の画像の表示に必要な時間長（垂直走査期間の時間長）が短縮されるという利点がある。画像表示のフレームレートが増加するとも換言され得る。
【００４２】
また、第１実施形態では、画像書込期間ＴDが、黒表示期間ＴBと比較して長い時間に設定される。したがって、画像書込期間ＴDを黒表示期間ＴB以下の時間長に設定した構成と比較して、指定階調に応じた階調電位を各画素ＰIX（画素電極２６２）に確実に供給できるという利点がある。
【００４３】
＜第２実施形態＞
本発明の第２実施形態を以下に説明する。なお、以下に例示する各形態において作用や機能が第１実施形態と同様である要素については、第１実施形態の説明で参照した符号を流用して各々の詳細な説明を適宜に省略する。
【００４４】
第１駆動モードにおいて同時に選択される走査線２２の本数（第１群または第２群に属する走査線２２の本数）Ｍや各ブロックＢ[k]の走査線２２の本数（許可信号ＥNB[n]の総数）Ｎは第１実施形態の例示（Ｍ＝２，Ｎ＝４）に限定されない。第２実施形態では、図７に例示される通り、４本の走査線２２で構成される第１群と４本の走査線２２で構成される第２群とを含む８本を単位としてＹ本の走査線２２がＫ個（Ｋ＝Ｙ/８）のブロックＢ[1]〜Ｂ[K]に区分される（Ｍ＝４，Ｎ＝８）。８系統の許可信号ＥNB[1]〜ＥNB[8]が制御回路１４から走査線駆動回路３２に供給され、各ブロックＢ[k]の第ｎ番目（ｎ＝１〜８）の走査線２２に対応する出力制御回路Ｑ[y]に許可信号ＥNB[n]が供給される。
【００４５】
図８は、第２駆動モードにおける第２実施形態の走査線駆動回路３２の動作の説明図である。第１実施形態と同様に、第２駆動モードでは、転送回路３２２から出力される転送信号Ａ[1]〜Ａ[Y]が、クロック信号ＣLK（ＣLK1，ＣLK2）の半周期に相当する単位期間Ｈ2毎に順番にアクティブレベルに設定され、相前後する２個の単位期間Ｈ2にわたりアクティブレベルを維持する。また、制御回路１４は、ブロックＢ[k]内の奇数番目の各走査線２２に対応する許可信号ＥNB[n]（ＥNB[1]，ＥNB[3]，ＥNB[5]，ＥNB[7]）と偶数番目の各走査線２２に対応する許可信号ＥNB[n]（ＥNB[2]，ＥNB[4]，ＥNB[6]，ＥNB[8]）とを単位期間Ｈ2毎に交互にアクティブレベルに設定する。したがって、第１実施形態と同様に、選択回路３２４から各走査線２２に出力されるＹ系統の走査信号Ｇ[1]〜Ｇ[Y]は単位期間Ｈ2毎に順次にアクティブレベルに設定される。
【００４６】
図９は、第１駆動モードにおける第２実施形態の走査線駆動回路３２の動作の説明図である。第１駆動モードでは、クロック信号ＣLK1が１周期（単位期間Ｈ1）内に２回にわたりアクティブレベル（ハイレベル）に設定される。したがって、各単位期間Ｈ1の画像書込期間ＴDおよび黒表示期間ＴBでは、ブロックＢ[k1]のうち第１群および第２群の一方の４本の走査線２２に対応する各転送信号Ａ[y]とブロックＢ[k2]のうち第１群および第２群の他方の４本の走査線２２に対応する各転送信号Ａ[y]とが並列にアクティブレベルに設定される。
【００４７】
具体的には、奇数番目の単位期間Ｈ1の画像書込期間ＴDおよび黒表示期間ＴBでは、ブロックＢ[k1]の第１群の４本の走査線２２に対応する各転送信号Ａ[y]（例えば図９の転送信号Ａ[1]〜Ａ[4]）とブロックＢ[k2]の第２群の４本の走査線２２に対応する各転送信号Ａ[y]（例えば図９の転送信号Ａ[205]〜Ａ[208]）とが並列にアクティブレベルに設定される。また、制御回路１４は、奇数番目の単位期間Ｈ1の画像書込期間ＴDにおいて、第１群に対応する許可信号ＥNB[1]〜ＥNB[4]をアクティブレベルに設定するとともに許可信号ＥNB[5]〜ＥNB[8]を非アクティブレベルに設定し、当該単位期間Ｈ1の黒表示期間ＴBにおいて、第２群に対応する許可信号ＥNB[5]〜ＥNB[8]をアクティブレベルに設定するとともに許可信号ＥNB[1]〜ＥNB[4]を非アクティブレベルに設定する。したがって、奇数番目の単位期間Ｈ1では、開始パルスＤY1に対応するブロックＢ[k1]の第１群の４本の走査線２２（例えば図９の走査信号Ｇ[1]〜Ｇ[4]）が画像書込期間ＴDにて同時に選択され、開始パルスＤY2に対応するブロックＢ[k2]の第２群の４本の走査線２２（例えば図９の走査信号Ｇ[205]〜Ｇ[208]）が黒表示期間ＴBにて同時に選択される。
【００４８】
他方、偶数番目の単位期間Ｈ1の画像書込期間ＴDおよび黒表示期間ＴBでは、ブロックＢ[k1]の第２群の４本の走査線２２に対応する各転送信号Ａ[y]（例えば図９の転送信号Ａ[5]〜Ａ[8]）とブロックＢ[k2]の第１群の４本の走査線２２に対応する各転送信号Ａ[y]（例えば図９の転送信号Ａ[209]〜Ａ[212]）とが並列にアクティブレベルに設定される。また、制御回路１４は、偶数番目の単位期間Ｈ1の画像書込期間ＴDにおいて、第２群に対応する許可信号ＥNB[5]〜ＥNB[8]をアクティブレベルに設定するとともに許可信号ＥNB[1]〜ＥNB[4]を非アクティブレベルに設定し、当該単位期間Ｈ1の黒表示期間ＴBにおいて、第１群に対応する許可信号ＥNB[1]〜ＥNB[4]をアクティブレベルに設定するとともに許可信号ＥNB[5]〜ＥNB[8]を非アクティブレベルに設定する。したがって、偶数番目の単位期間Ｈ1では、開始パルスＤY1に対応するブロックＢ[k1]の第２群の４本の走査線２２（例えば図９の走査信号Ｇ[5]〜Ｇ[8]）が画像書込期間ＴDにて同時に選択され、開始パルスＤY2に対応するブロックＢ[k2]の第１群の４本の走査線２２（例えば図９の走査信号Ｇ[209]〜Ｇ[212]）が黒表示期間ＴBにて同時に選択される。
【００４９】
以上の説明から理解される通り、第２実施形態の走査線駆動回路３２は、各単位期間Ｈ1の画像書込期間ＴDでは、相隣合う４本の走査線２２を単位期間Ｈ1毎に順次に選択し、各単位期間Ｈ1の黒表示期間ＴBでは、当該単位期間Ｈ1内の画像書込期間ＴDで選択される４本とは別個の相隣合う４本の走査線２２を単位期間Ｈ1毎に順次に選択する。したがって、第２実施形態においても第１実施形態と同様の効果が実現される。
【００５０】
以上の説明から理解される通り、第１実施形態および第２実施形態の走査線駆動回路３２は、各単位期間Ｈ1の画像書込期間ＴDにてＭ本の走査線２２を順次に選択し、各単位期間の黒表示期間ＴBにおいて、当該単位期間Ｈ1内の画像書込期間ＴDで選択されるＭ本とは別個のＭ本の走査線２２を選択する要素として包括的に表現される。
【００５１】
＜変形例＞
以上に例示した各形態は多様に変形され得る。具体的な変形の態様を以下に例示する。以下の例示から任意に選択された２以上の態様は、相互に矛盾しない範囲内で適宜に併合され得る。
【００５２】
（１）前述の各形態では、立体視画像（右眼用画像および左眼用画像）を表示する動作モードとして第１駆動モードを例示したが、第１駆動モードの用途は立体視画像の表示に限定されない。前述の各形態の第１駆動モードにおいて、動画像を構成する各画像（立体視画像以外の平面画像）を単位期間Ｈ1毎に表示すれば、被写体が高速に移動する動画像を表示する場合でも動画ボケ（残像感）を防止できるという利点がある。したがって、第１駆動モードは、立体視画像の表示のほか、被写体が高速に移動する動画像の表示にも好適に利用される。
【００５３】
（２）前述の各形態では、各信号線２４に供給される階調信号Ｓ[x]（階調電位または黒電位）の極性反転の説明を便宜的に省略したが、所定の基準電位（例えば共通電極２６４の電位）に対する階調信号Ｓ[x]の極性を周期的に反転させる構成は前述の各形態に当然に採用される。階調信号Ｓ[x]の極性反転の周期は任意である。例えば、所定個（単数または複数）の垂直走査期間を単位として階調信号Ｓ[x]の極性を反転する構成や、第１駆動モードにおける所定個（単数または複数）の単位期間Ｈ1を単位として階調信号Ｓ[x]の極性を反転する構成が採用され得る。
【００５４】
（３）電気光学素子は前述の液晶素子ＣLに限定されない。例えば、電気泳動素子を電気光学素子として利用することも可能である。すなわち、電位光学素子は、電気的な作用（例えば電圧の印加）に応じて光学的な特性（例えば透過率）が変化する表示素子として包括される。
【００５５】
＜応用例＞
以上の各形態に例示した電気光学装置１００は、各種の電子機器に利用され得る。図１０から図１３には、前述の各形態に係る電気光学装置１００を採用した電子機器の具体的な形態が例示されている。
【００５６】
図１０は、電気光学装置１００を適用した投射型表示装置４００の模式図である。投射型表示装置４００は、相異なる表示色（赤色，緑色，青色）に対応する３個の電気光学装置１００（１００R，１００G，１００B）を具備する３板式のプロジェクターである。照明光学系４１０は、照明装置（光源）４２０からの出射光のうち赤色成分ｒを電気光学装置１００Rに供給し、緑色成分ｇを電気光学装置１００Gに供給し、青色成分ｂを電気光学装置１００Bに供給する。各電気光学装置１００は、照明光学系４１０から供給される各単色光を表示画像に応じて変調する光変調器（ライトバルブ）として機能する。投射光学系４３０は、各電気光学装置１００からの出射光を合成して投射面４４０に投射する。
【００５７】
図１１は、電気光学装置１００を採用した可搬型のパーソナルコンピューターの斜視図である。パーソナルコンピューター２００は、各種の画像を表示する電気光学装置１００と、電源スイッチ２１０やキーボード２２０が設置された本体部２３０とを具備する。
【００５８】
図１２は、電気光学装置１００を適用した携帯電話機の斜視図である。携帯電話機３００は、複数の操作ボタン３１０およびスクロールボタン３２０と、各種の画像を表示する電気光学装置１００とを備える。スクロールボタン３２０を操作することによって、電気光学装置１００に表示される画面がスクロールされる。
【００５９】
なお、本発明に係る電気光学装置が適用される電子機器としては、図１０から図１２に例示した機器のほか、携帯情報端末（ＰＤＡ：Personal Digital Assistants），スマートフォン，デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等が例示される。
【符号の説明】
【００６０】
１００……電気光学装置、１２……電気光学パネル、１４……制御回路、２０……画素部、２２……走査線、２４……信号線、３０……駆動回路、３２……走査線駆動回路、３４……信号線駆動回路、ＰIX……画素、ＣL……液晶素子、ＳW……選択スイッチ、３２２……転送回路、３２４……選択回路、Ｕ[y]（Ｕ[1]〜Ｕ[Y]）……単位回路、Ｑ[y]（Ｑ[1]〜Ｑ[Y]）……出力制御回路。
【図１】
2014153491.tif 000003
【図２】
2014153491.tif 000004
【図３】
2014153491.tif 000005
【図４】
2014153491.tif 000006
【図５】
2014153491.tif 000007
【図６】
2014153491.tif 000008
【図７】
2014153491.tif 000009
【図８】
2014153491.tif 000010
【図９】
2014153491.tif 000011
【図１０】
2014153491.tif 000012
【図１１】
2014153491.tif 000013
【図１２】
2014153491.tif 000014